(57)【要約】  パレット清掃装置は、受入部においてパレットを受け入れ、上面を上方に向けた平置きの状態のパレットを排出部まで移動させる移動部と、前記移動部の上方に設けられ、前記移動部により移動されるパレットの上面に水からなるミストを噴霧する噴霧部と、前記パレットの移動方向において前記噴霧部より後段に設けられ、前記移動部により移動されるパレットの移動方向に略直交する幅方向を軸線方向とし少なくとも前記パレットの上面の前記幅方向の長さ以上の長さを有する軸体と、吸水性を有する材料からなり、前記パレットの上面における前記幅方向に亘って前記パレットに接触するように前記軸体の表面の全周にわたって設けられた吸水素材とを有し、移動されるパレットの上面に前記吸水素材を接触させながら動力源により前記軸体を回転させる、拭き取り部と、を備える。
2016056127.tif 000002
【特許請求の範囲】
【請求項１】
荷物を載置させるための略正方形の上面を構成する上面部と、前記上面に対向する下面を構成する下面部と、前記上面部及び下面部の間に対向して設けられた二組の側面部と、を有するパレットを清掃するパレット清掃装置であって、
清掃するパレットを受け入れる受入部においてパレットを受け入れ、前記上面を上方に向けた平置きの状態のパレットを、パレットを排出する排出部まで移動させる移動部と、
前記移動部の上方に設けられ、前記移動部により移動されるパレットの上面に水からなるミストを噴霧する噴霧部と、
前記パレットの移動方向において前記噴霧部より後段に設けられ、前記移動部により移動されるパレットの移動方向に略直交する幅方向を軸線方向とし少なくとも前記パレットの上面の前記幅方向の長さ以上の長さを有する軸体と、吸水性を有する材料からなり、前記パレットの上面における前記幅方向に亘って前記パレットに接触するように前記軸体の表面の全周にわたって設けられた吸水素材とを有し、移動されるパレットの上面に前記吸水素材を接触させながら動力源により前記軸体を回転させる、拭き取り部と、
を備えるパレット清掃装置。
【請求項２】
前記パレットに付着した水分を除去するための手段として、前記拭き取り部のみを備える、請求項１に記載のパレット清掃装置。
【請求項３】
前記パレットの移動方向において前記噴霧部より後段に設けられ、前記移動部により移動されるパレットの移動方向に略直交する幅方向を軸線方向とし少なくとも前記パレットの下面の前記幅方向の長さ以上の長さを有する軸体と、吸水性を有する材料からなり、前記パレットの下面における前記幅方向に亘って前記パレットの下面に接触するように前記軸体の表面の全周にわたって設けられた吸水素材とを有し、移動されるパレットの下面に前記吸水素材を接触させながら動力源により前記軸体を回転させる、下面拭き取り部を更に備える、
請求項１または２に記載のパレット清掃装置。
【請求項４】
前記移動部を移動するパレットの側方に設けられ、前記移動部により移動されるパレットの移動方向に沿う側面に水からなるミストを噴霧する側面噴霧部と、
前記パレットの移動の方向において前記側面噴霧部より後段に設けられ、ブラシを有し、移動されるパレットの側面に沿い且つ前記パレットの移動方向に略直交する方向を軸として、移動されるパレットに前記ブラシを接触させながら回転する側面ブラシ部と、
を更に備える請求項１〜３のいずれか一項に記載のパレット清掃装置。
【請求項５】
前記パレットの移動の方向における前記噴霧部の前段において前記移動部の下方に設けられ、ブラシを有し、移動されるパレットの下面に沿い且つ前記パレットの移動方向に略直交する方向を軸として、移動されるパレットの下面に前記ブラシを接触させながら回転させる下面ブラシ部を更に備える、
請求項１〜４のいずれか一項に記載のパレット清掃装置。
【請求項６】
前記パレットの移動の方向における前記噴霧部の前段において前記移動部の上方に設けられ、ブラシを有し、移動されるパレットの上面に沿い且つ前記パレットの移動方向に略直交する方向を軸として、移動されるパレットの上面に前記ブラシを接触させながら回転させる上面ブラシ部を更に備える、
請求項１〜５のいずれか一項に記載のパレット清掃装置。
【発明の詳細な説明】
【技術分野】
【０００１】
本発明は、パレット清掃装置に関するものである。
【背景技術】
【０００２】
種々の業種における物品の輸送にプラスチック等の樹脂により形成されたパレットが用いられている。パレットは繰り返し使用されるものであるので、一定回数使用されたパレットを洗浄する必要がある。例えば、特許文献１に記載されたようなパレットを洗浄する装置が知られている。
【先行技術文献】
【特許文献】
【０００３】
【特許文献１】特開２０１０−１２５３８８号公報
【発明の概要】
【発明が解決しようとする課題】
【０００４】
通常のパレットを洗浄する装置では、水が大量に使用される。従って、装置に水を供給するための上水設備が必要となる。また、洗浄に使用された水を排出するための下水設備の整備も必要となる。また洗浄に使用された水を繰り返し使用する場合には、水を循環させるための循環装置や使用した水を浄化するための濾過装置等の設備が必要となる。また、洗浄されたパレットに付着した水分の除去及び乾燥のために、空気を送出する送風機や熱風を発生させるための熱源が必要となる。これらの設備を設置するためには、非常に多くのコスト及び設置のためのスペースが必要になる。さらに、これらの設備を稼働するためには、非常に多くの電力等のエネルギーが必要となる。【０００５】
そこで、本発明は、上記の問題点に鑑みてなされたものであり、使用に際して十分な品質を有するパレットを、低コスト且つ省スペースで得ることが可能なパレット清掃装置を提供することを目的とする。
【課題を解決するための手段】
【０００６】
本発明の一形態に係るパレット清掃装置は、荷物を載置させるための略正方形の上面を構成する上面部と、上面に対向する下面を構成する下面部と、上面部及び下面部の間に対向して設けられた二組の側面部と、を有するパレットを清掃するパレット清掃装置であって、清掃するパレットを受け入れる受入部においてパレットを受け入れ、上面を上方に向けた平置きの状態のパレットを、パレットを排出する排出部まで移動させる移動部と、移動部の上方に設けられ、移動部により移動されるパレットの上面に水からなるミストを噴霧する噴霧部と、パレットの移動方向において噴霧部より後段に設けられ、移動部により移動されるパレットの移動方向に略直交する幅方向を軸線方向とし少なくともパレットの上面の幅方向の長さ以上の長さを有する軸体と、吸水性を有する材料からなり、パレットの上面における幅方向に亘ってパレットに接触するように軸体の表面の全周にわたって設けられた吸水素材とを有し、移動されるパレットの上面に吸水素材を接触させながら動力源により軸体を回転させる、拭き取り部と、を備える。【０００７】
上記形態のパレット清掃装置では、パレットが平置きの状態で移動されながら、パレットの上面に水からなるミストが噴霧される。そして、パレットの上面に噴霧された水が、回転される軸体に設けられた吸水素材により汚れ等と共に拭き取られる。このようにパレットが清掃されるので、使用に際して十分な程度の品質を有するパレットが得られる。また、パレットの清掃に用いられる水は、ミストとしてパレットに噴霧されるので、パレットの清掃に使用される水量を抑えることができる。従って、清掃に使用する上水を供給するための、規模の大きな設備を必要としない。また、清掃に使用される水量が少ないので、パレットの上面を吸水素材で拭き取るのみで水分の除去が可能となる。【０００８】
別の形態に係るパレット清掃装置では、パレットに付着した水分を除去するための手段として、拭き取り部のみを備えることとしてもよい。【０００９】
上記形態によれば、パレットの上面に付着した水分の除去を、拭き取り部の吸水素材による拭き取りのみで実施するので、パレットに付着した水分の除去及び乾燥のための、規模の大きな設備が不要となる。【００１０】
さらに別の形態に係るパレット清掃装置では、パレットの移動方向において噴霧部より後段に設けられ、移動部により移動されるパレットの移動方向に略直交する幅方向を軸線方向とし少なくともパレットの下面の幅方向の長さ以上の長さを有する軸体と、吸水性を有する材料からなり、パレットの下面における幅方向に亘ってパレットの下面に接触するように軸体の表面の全周にわたって設けられた吸水素材とを有し、移動されるパレットの下面に吸水素材を接触させながら動力源により軸体を回転させる、下面拭き取り部を更に備えることとしてもよい。【００１１】
上記形態によれば、パレットに噴霧されパレット下面に付着した水が、回転される軸体に設けられた吸水素材により汚れ等と共に拭き取られる。このようにパレットの下面が清掃されるので、使用に際して十分な程度の品質を有するパレットが得られる。【００１２】
さらに別の形態に係るパレット清掃装置では、移動部を移動するパレットの側方に設けられ、移動部により移動されるパレットの移動方向に沿う側面に水からなるミストを噴霧する側面噴霧部と、パレットの移動の方向において側面噴霧部より後段に設けられ、ブラシを有し、移動されるパレットの側面に沿い且つパレットの移動方向に略直交する方向を軸として、移動されるパレットにブラシを接触させながら回転する側面ブラシ部と、を更に備えることとしてもよい。【００１３】
上記形態によれば、パレットが平置きの状態で移動されながら、パレットの側面に水からなるミストが噴霧される。そして、パレットの側面に接触しながら回転するブラシにより、パレット側面における汚れ等が除去される。これにより、パレットの側面が、使用に際して十分な品質を有する程度に十分に清掃される。また、パレットの清掃に用いられる水は、ミストとしてパレットに噴霧されるので、パレットの清掃に使用される水量を抑えることができる。【００１４】
さらに別の形態に係るパレット清掃装置では、パレットの移動の方向における噴霧部の前段において移動部の下方に設けられ、ブラシを有し、移動されるパレットの下面に沿い且つパレットの移動方向に略直交する方向を軸として、移動されるパレットの下面にブラシを接触させながら回転させる下面ブラシ部を更に備えることとしてもよい。【００１５】
上記形態によれば、平置きの状態で移動されるパレットの下面に接触しながら回転するブラシにより、パレット下面における埃等が除去される。これにより、水からなるミストを用いた清掃の前に、パレットの下面に付着した埃等が除去されるので、パレットの下面の清掃をより効果的に実施できる。【００１６】
さらに別の形態に係るパレット清掃装置では、パレットの移動の方向における噴霧部の前段において移動部の上方に設けられ、ブラシを有し、移動されるパレットの上面に沿い且つパレットの移動方向に略直交する方向を軸として、移動されるパレットの上面にブラシを接触させながら回転させる上面ブラシ部を更に備えることとしてもよい。【００１７】
上記形態によれば、平置きの状態で移動されるパレットの上面に接触しながら回転するブラシにより、パレット上面における埃等が除去される。これにより、水からなるミストを用いた清掃の前に、パレットの上面に付着した埃等が除去されるので、パレットの上面の清掃をより効果的に実施できる。
【発明の効果】
【００１８】
本発明によれば、使用に際して十分な品質を有するパレットを、低コスト且つ省スペースで得ることが可能となる。
【図面の簡単な説明】
【００１９】
【図１】パレット清掃装置の斜視図である。
【図２】パレット清掃装置の正面図である。
【図３】パレットの斜視図である。
【図４】パレット清掃装置の噴霧部の正面図である。
【図５】パレット清掃装置の拭き取り部及び下面拭き取り部の斜視図である。
【図６】パレット清掃装置の下面ブラシ部及び上面ブラシ部の斜視図である。
【図７】パレット清掃装置の側面ブラシ部の斜視図である。
【発明を実施するための形態】
【００２０】
以下、図面を参照して、本発明に係るパレット清掃装置の実施形態について詳細に説明する。なお、全図中、同一又は相当部分には同一符号を付すこととする。
【００２１】
図１は、パレット清掃装置を概略的に示す斜視図である。図２は、パレット清掃装置を概略的に示す正面図である。パレット清掃装置１は、パレットを清掃する装置である。図１及び図２に示すように、パレット清掃装置１は、移動部５、噴霧部１０Ａ（１０），１０Ｂ（１０）及び拭き取り部２０Ａ（２０），２０Ｂ（２０）を備える。また、パレット清掃装置１は、下面拭き取り部３０Ａ（３０），３０Ｂ（３０）、下面ブラシ部４０、上面ブラシ部５０、側面ブラシ部６０及び側面噴霧部７０を更に備えることとしてもよい。
【００２２】
パレット清掃装置１の各部の説明に先立って、図３を参照して、パレット清掃装置１により清掃されるパレットの一例について説明する。図３は、パレットＰの斜視図である。図３に示すように、パレットＰは、荷物を載せるための略正方形の主面を構成する上面デッキ部Ｐ１、主面に対向する略正方形の下面を構成する下面デッキ部Ｐ５、及び上面デッキ部Ｐ１と下面デッキ部Ｐ５との間に設けられた側面部Ｐ２を有する。また、パレットＰには、一対の対向する側面部Ｐ２間を貫通するフォーク差し込み穴Ｐ４が設けられている。また、パレットＰの上面には、例えば、人手によりパレットＰを運搬する際に手をかけることが可能な切りかけ部Ｐ６が設けられている。切りかけ部Ｐ６は、長方形状の孔を形成しており、その孔は上面デッキ部Ｐ１を貫通し、フォーク差し込み穴Ｐ４と連通している。
【００２３】
再び図１及び図２を参照して、パレット清掃装置１の各部を説明する。枠体部３は、上面からみて、パレットにおける荷物を載置する主面の１辺の長さと略同程度の幅と、パレットを清掃する各構成部分を配するためのラインの長さとを有する略長方形状の枠体を形成しており、例えば金属製のフレーム及び板状の部材等により構成される。パレットを清掃するための各部１０〜７０は、枠体部３に設けられている。
【００２４】
移動部５は、清掃するパレットＰを受け入れる受入部５ａにおいて受け入れ、上面を上方に向けた平置きの状態のパレットを、パレットを排出する排出部５ｂまで移動させる部分である。移動部５は、図１及び図２に示すように、例えば、枠体部３に設けられたチェーンコンベアにより構成される。チェーンコンベアは、載置されたパレットを移動させるためのチェーン６及びチェーン６を駆動する歯車７を含む。移動部５は、さらに歯車７を駆動するためのモータ８を含む。歯車７は、チェーン９を介してモータ８により駆動される。即ち、モータ８により、チェーン６が駆動され、チェーン６の上に載置されたパレットＰが移動される。受入部５ａは、例えば、アンスタッカ（図示せず）により段ばらしされたパレットＰを受け入れる。また、排出部５ｂは、パレットを段積みするためのスタッカ（図示せず）にパレットＰを排出する。
【００２５】
噴霧部１０は、移動部５の上方に設けられ、移動部５により移動されるパレットＰの上面に水からなるミストを噴霧する部分である。図４は、噴霧部１０を示す正面図である。噴霧部１０は、ノズル１１、供給管１３及びフレーム１５を含む。
【００２６】
ノズル１１は、水からなるミストをパレットＰに噴霧する装置であって、フレーム１５に複数設けられている。本実施形態では、５つのノズル１１が、一のフレーム１５に設けられているが、ノズルの数はこれに限定されない。
【００２７】
供給管１３は、ノズル１１に水を供給する管路であって、例えば、初期水として蓄えられた水をノズル１１に供給する。
【００２８】
フレーム１５は、移動部５においてパレットＰが移動される移動方向に略直交する方向に亘って設けられた棒状部材である。フレーム１５は、移動されるパレットＰの上面にノズル１１からのミストを噴霧可能なように、移動部５の上方に位置するように枠体部３に柱状の部材を介して連結されている。
【００２９】
従来のパレット洗浄装置では、例えば、装置可動前にタンク等に蓄える初期水として７５０〜１０００リットル程度の水が必要であり、装置稼働中においても５〜１０リットル／分程度の排水があるため水を適宜補充する必要があり、大量の水を必要としていた。これに対して、本実施形態のパレット清掃装置１では、後述する側面噴霧部７０で使用される水を含めて、装置可動前の初期水として必要な水の量は、例えば１８リットル程度である。また、装置稼働中における排水量は、例えば、０．０８リットル／分程度である。このように、本実施形態のパレット清掃装置１では、従来のパレット洗浄装置と比較して、必要とされる水の量及び排水量が非常に少ない。このため、本実施形態のパレット清掃装置１では、上水及び下水のための大規模なインフラを必要としない。また、下水設備の一部としての油水分離層といったものも不要である。また、本実施形態のパレット清掃装置１では、従来のパレット洗浄装置において必要とされた、水の循環装置や濾過装置も不要である。また、本実施形態のパレット清掃装置１は、排水量が極めて少ないので、排水に関する規制がある地域に設置することが可能である。
【００３０】
拭き取り部２０は、移動部５により移動されるパレットＰの移動方向において噴霧部１０より後段に設けられた、パレットＰの上面の水分を拭き取るための部分である。図５は、拭き取り部２０の斜視図である。なお、図５に示すように、下面拭き取り部３０は、拭き取り部２０と同様の構造を有する。図１，２及び図５に示されるように、拭き取り部２０は、軸体２１及び吸水素材２３を有する。
【００３１】
軸体２１は、移動部５により移動されるパレットＰの移動方向に略直交する幅方向を軸線方向とし、少なくともパレットＰの上面の幅方向の長さ以上の長さを有する。吸水素材２３は、吸水性を有する材料からなり、パレットＰの上面における幅方向に亘ってパレットＰに接触するように軸体２１の表面を被覆するように全周にわたって設けられている。
【００３２】
吸水素材２３は、例えば、いわゆるモップであってもよい。モップは、布帛からなる基布部と、基布部の１側面に設けられ吸水性を有する立毛糸とから成る。この場合には、吸水素材２３は、基布部における立毛糸が設けられていない側面を軸体に接しながら、軸体２１の表面を被覆する。また、吸水素材２３は、水分を吸収可能な素材であればどのようなものであってもよく、例えば、布、スポンジ等であってもよい。
【００３３】
拭き取り部２０は、移動部５により移動されるパレットＰの上面に吸水素材２３を接触させながら動力源２５により軸体２１を回転させる。動力源２５は、図２において概略的に示されており、例えば、モータにより構成される。
【００３４】
本実施形態のパレット清掃装置１では、パレットに付着した水分を除去するための手段として、拭き取り部２０のみを備えることとしてもよい。この場合には、パレットＰの上面に付着した水分の除去を、拭き取り部２０の吸水素材２３による拭き取りのみで実施するので、パレットＰに付着した水分の除去及び乾燥のための、規模の大きな設備が不要となる。
【００３５】
従来のパレット洗浄装置では、洗浄後のパレットに付着した水分の除去にブロア（送風機）を用いていた。このブロアは、装置の規模に応じて、例えば、１０〜５０ｋｗ程度の電力を必要とする。従って、従来のパレット洗浄装置では、ブロアを設けるために、高圧受電設備等の大規模な電気設備が必要であった。また、従来のパレット洗浄装置では、ブロアにより送風する空気を熱するためのボイラー等の熱源を設けることがあった。ボイラー等の熱源の設置には、燃料の保管等に関して規制等による制限がないことも必要であった。さらに、ボイラーを設けた場合には、ボイラーからの強アルカリ性の排水を処理する処理設備が必要であった。本実施形態のパレット清掃装置１では、ブロア及び熱源を必要としないので、大規模な電気設備が不要であると共に、燃料の保管に関する規制がある地域に設置することが可能である。さらに、本実施形態のパレット清掃装置１では、ボイラーの設置に伴い必要となる排水の処理設備が不要となる。
【００３６】
下面拭き取り部３０は、移動部５により移動されるパレットＰの移動方向において噴霧部１０より後段に設けられた、パレットＰの下面の水分を拭き取るための部分である。図５に示すように、下面拭き取り部３０は、軸体３１及び吸水素材３３を有する。
【００３７】
軸体３１は、移動部５により移動されるパレットＰの移動方向に略直交する幅方向を軸線方向とし、少なくともパレットＰの下面の幅方向の長さ以上の長さを有する。吸水素材３３は、吸水性を有する材料からなり、パレットＰの下面における幅方向に亘ってパレットＰの下面に接触するように軸体３１の表面を被覆するように全周にわたって設けられている。
【００３８】
吸水素材３３は、吸水素材２３と同様に、例えば、いわゆるモップであってもよい。また、吸水素材３３は、水分を吸収可能な素材であればどのようなものであってもよく、例えば、布、スポンジ等であってもよい。
【００３９】
下面拭き取り部３０は、移動部５により移動されるパレットＰの下面に吸水素材３３を接触させながら動力源３５により軸体３１を回転させる。動力源３５は、図２において概略的に示されており、例えば、モータにより構成される。
【００４０】
パレット清掃装置１が下面拭き取り部３０（３０Ａ，３０Ｂ）を備えることにより、パレットＰに噴霧されパレット下面に付着した水が、回転される軸体３１に設けられた吸水素材３３により汚れ等と共に拭き取られる。このようにパレットＰの下面が清掃されるので、使用に際して十分な程度の品質を有するパレットＰが得られる。
【００４１】
本実施形態のパレット清掃装置１では、パレットに付着した水分を除去するための手段として、拭き取り部２０及び下面拭き取り部３０のみを備えることとしてもよい。この場合には、パレットＰに付着した水分の除去を、拭き取り部２０の吸水素材２３及び下面拭き取り部３０の吸水素材３３による拭き取りのみで実施するので、パレットＰに付着した水分の除去及び乾燥のための、規模の大きな設備が不要となる。
【００４２】
下面ブラシ部４０は、図１及び図２に示すように、移動部５により移動されるパレットＰの移動方向における噴霧部１０の前段において、移動部５の下方に設けられている。図６は、下面ブラシ部４０の斜視図である。なお、図６に示すように、下面ブラシ部４０は、上面ブラシ部５０と同様の構造を有する。
【００４３】
図１，２及び図６に示すように、下面ブラシ部４０は、軸体４１及びブラシ４３を有する。ブラシは、例えば、樹脂等により成り、軸体４１を被覆するように設けられている。本実施形態の下面ブラシ部４０では、例えば、既存の素材である人工芝がブラシとして用いられることとしてもよい。下面ブラシ部４０は、移動されるパレットの下面にブラシ４３を接触させながら、動力源４５によりパレットＰの移動方向に略直交する方向を軸として軸体４１を回転させる。動力源４５は、図２において概略的に示されており、例えば、モータにより構成される。
【００４４】
パレット清掃装置１が下面ブラシ部４０を備えることにより、平置きの状態で移動されるパレットＰの下面に接触しながら回転するブラシ４３により、パレットＰの下面における埃等が除去される。これにより、水からなるミストを用いた清掃の前に、パレットＰの下面に付着した埃等が除去されるので、パレットＰの下面の清掃をより効果的に実施できる。
【００４５】
上面ブラシ部５０は、図１及び図２に示すように、移動部５により移動されるパレットＰの移動方向における噴霧部１０の前段において、移動部５の上方に設けられている。図６は、上面ブラシ部５０の斜視図である。
【００４６】
図１，２及び図６に示すように、上面ブラシ部５０は、軸体５１及びブラシ５３を有する。ブラシは、例えば、樹脂等により成り、軸体５１を被覆するように設けられている。本実施形態の上面ブラシ部５０では、例えば、既存の素材である人工芝がブラシとして用いられることとしてもよい。上面ブラシ部５０は、移動されるパレットの上面にブラシ５３を接触させながら、動力源５５によりパレットＰの移動方向に略直交する方向を軸として軸体５１を回転させる。動力源５５は、図２において概略的に示されており、例えば、モータにより構成される。
【００４７】
パレット清掃装置１が上面ブラシ部５０を備えることにより、平置きの状態で移動されるパレットＰの下面に接触しながら回転するブラシ５３により、パレットＰの上面における埃等が除去される。これにより、水からなるミストを用いた清掃の前に、パレットＰの上面に付着した埃等が除去されるので、パレットＰの上面の清掃をより効果的に実施できる。
【００４８】
側面ブラシ部６０は、図１及び図２に示すように、例えば、移動部５を移動されるパレットＰの移動方向において側面噴霧部７０より後段に設けられている。図７は、側面ブラシ部６０の斜視図である。
【００４９】
図７に示すように、側面ブラシ部６０は、軸体６１及びブラシ６３を有する。ブラシ６３は、例えば、樹脂等により成り、軸体６１を被覆するように設けられている。
側面ブラシ部６０は、移動されるパレットＰにブラシ６３を接触させながら、移動部５により移動されるパレットＰの側面に沿い且つパレットＰの移動方向に略直交する方向を軸として、軸体６１を回転させる。軸体６１は、動力源（図示せず。例えばモーター）により回転される。
【００５０】
側面噴霧部７０は、移動部５を移動するパレットＰの側方に設けられ、移動部５により移動されるパレットＰの移動方向に沿う側面に水からなるミストを噴霧する。本実施形態では、図１及び図２に示されるように、側面噴霧部７０は、移動部５により移動されるパレットＰの移動方向において拭き取り部２０Ｂの後段に設けられている。
【００５１】
パレット清掃装置１が側面ブラシ部６０及び側面噴霧部７０を備えることにより、パレットＰが平置きの状態で移動されながら、パレットＰの側面に水からなるミストが噴霧される。そして、パレットＰの側面に接触しながら回転するブラシ６３により、パレットＰの側面における汚れ等が除去される。これにより、パレットＰの側面が、使用に際して十分な品質を有する程度に十分に清掃される。また、パレットＰの清掃に用いられる水は、ミストとしてパレットに噴霧されるので、パレットの清掃に使用される水量を抑えることができる。
【００５２】
以上説明したように、本実施形態のパレット清掃装置１では、パレットＰが平置きの状態で移動されながら、パレットＰの上面に水からなるミストが噴霧される。そして、パレットＰの上面に噴霧された水が、回転される軸体２１に設けられた吸水素材２３により汚れ等と共に拭き取られる。このようにパレットＰが清掃されるので、使用に際して十分な程度の品質を有するパレットＰが得られる。また、パレットＰの清掃に用いられる水は、ミストとしてパレットＰに噴霧されるので、パレットＰの清掃に使用される水量を抑えることができる。従って、清掃に使用する上水を供給するための、規模の大きな設備を必要としない。また、清掃に使用される水量が少ないので、パレットＰの上面を吸水素材２３で拭き取るのみで水分の除去が可能となる。
【００５３】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００５４】
１…パレット清掃装置、３…枠体部、５…移動部、５ａ…受入部、５ｂ…排出部、６…チェーン、７…歯車、８…モータ、９…チェーン、１０，１０Ａ，１０Ｂ…噴霧部、１１…ノズル、１３…供給管、１５…フレーム、２０，２０Ａ，２０Ｂ…拭き取り部、２１…軸体、２３…吸水素材、２５…動力源、３０，３０Ａ，３０Ｂ…下面拭き取り部部、３１…軸体、３３…吸水素材、３５…動力源、４０…下面ブラシ部、４１…軸体、４３…ブラシ、４５…動力源、５０…上面ブラシ部、５１…軸体、５３…ブラシ、５５…動力源、６０…側面ブラシ部、６１…軸体、６３…ブラシ、７０…側面噴霧部、Ｐ…パレット。
【図１】
2016056127.tif 000003
【図２】
2016056127.tif 000004
【図３】
2016056127.tif 000005
【図４】
2016056127.tif 000006
【図５】
2016056127.tif 000007
【図６】
2016056127.tif 000008
【図７】
2016056127.tif 000009
【国際調査報告】
2016056127.tif 000010
2016056127.tif 000011
2016056127.tif 000012
2016056127.tif 000013